(57)【特許請求の範囲】
【請求項１】
画像を画面上に表示する表示部と、
前記画面に対する面内位置の指定を受け付けてその指定された面内位置を示す位置信号を出力する位置入力部と、
複数の面内位置が指定された場合に、前記位置信号に基づいて、各面内位置を特定し、複数の画像を前記各面内位置にて表示させるとともに、前記各面内位置の間隔に応じて各画像の表示の大きさを制御する制御部と、を有し、
前記制御部は、前記複数の面内位置のうちの隣接する２つの面内位置について、一方の面内位置の重心と他方の面内位置の重心との間隔を求め、該間隔に基づいて、前記一方の面内位置にて表示される画像の前記重心から前記他方の面内位置側の幅と、前記他方の面内位置にて表示される画像の前記重心から前記一方の面内位置側の幅とを、画像が互いに重ならないように設定する、入力装置。
【請求項２】
前記制御部は、前記複数の面内位置のうちの特定の面内位置に、他の面内位置に表示される他の画像の表示内容を制御するための機能が割り当てられた画像を表示し、該画像に対する操作に応じて前記他の画像の表示内容を制御する、請求項１に記載の入力装置。
【請求項３】
表示の順位付けがなされた複数の画像データが格納された記憶部を、さらに有し、
前記制御部は、前記複数の画像データのうちから前記順位付けに基づいて前記各面内位置にて表示される画像の画像データを決定する、請求項１または２に記載の入力装置。
【請求項４】
前記位置入力部は、前記画面が形成された面側に設けられている、請求項１から３のいずれか１項に記載の入力装置。
【請求項５】
前記位置入力部は、前記画面が形成された面とは反対側の面に設けられている、請求項１から３のいずれか１項に記載の入力装置。
【請求項６】
位置入力部が、表示部の画面に対する面内位置の指定を受け付けてその指定された面内位置を示す位置信号を出力し、
制御部が、複数の面内位置が指定された場合に、前記位置信号に基づいて、各面内位置を特定し、複数の画像を前記各面内位置にて表示させるとともに、前記各面内位置の間隔に応じて各画像の表示の大きさを制御する、画像表示方法であって、
前記制御部が、前記複数の面内位置のうちの隣接する２つの面内位置について、一方の面内位置の重心と他方の面内位置の重心との間隔を求め、該間隔に基づいて、前記一方の面内位置にて表示される画像の前記重心から前記他方の面内位置側の幅と、前記他方の面内位置にて表示される画像の前記重心から前記一方の面内位置側の幅とを、画像が互いに重ならないように設定する、画像表示方法。
【請求項７】
画面に対して指定された複数の面内位置それぞれを示す位置信号を位置入力部から受信する処理と、
前記位置信号に基づいて、前記複数の面内位置を特定し、複数の画像を各面内位置にて表示させるとともに、前記各面内位置の間隔に応じて各画像の表示の大きさを制御する処理と、をコンピュータに実行させるためのプログラムであって、
前記複数の面内位置のうちの隣接する２つの面内位置について、一方の面内位置の重心と他方の面内位置の重心との間隔を求め、該間隔に基づいて、前記一方の面内位置にて表示される画像の前記重心から前記他方の面内位置側の幅と、前記他方の面内位置にて表示される画像の前記重心から前記一方の面内位置側の幅とを、画像が互いに重ならないように設定する処理を、前記コンピュータにさらに実行させるためのプログラム。
【発明の詳細な説明】
【技術分野】
【０００１】
本発明は、面内の位置の指定を受け付けてその指定された位置を示す位置信号を出力する、タッチパッド等の位置入力部を備え、位置信号に応じて表示を制御する入力装置に関する。
【背景技術】
【０００２】
最近では、携帯電話機やタブレット端末など、タッチパネル（タッチスクリーンと呼ばれる場合もある。）を備えた携帯機器が提供されている。タッチパネルは、液晶ディスプレイ等の表示部と、画面内における指等の指示体の接触位置を示す位置信号を出力する、タッチパッド等の位置入力部とを組み合わせたものである。【０００３】
上記携帯機器において、使用者が指を画面の一部に接触させると、位置入力部が、画面内の指の接触位置を示す位置信号を出力する。そして、制御部が、位置入力部からの位置信号に応じて表示部の表示を制御する。【０００４】
図１に、画面の表示の一例を示す。図１を参照すると、複数のアイコン１０１が一定の間隔で表示部の画面１００上に表示されている。各アイコン１０１に対して、アプリケーションの起動等、特定の機能が割り当てられている。【０００５】
使用者が指を表示部の画面１００上の所望のアイコン１０１の位置に接触させると、位置入力部が、画面１００内の指の接触位置を示す位置信号を出力し、制御部が、その位置信号に基づいて、画面１００内の指の接触位置に対応するアイコン１０１を特定する。そして、制御部が、その特定したアイコン１０１に割り当てられた機能を実行するとともに画面１００上の表示を制御する。【０００６】
しかし、指の大きさに対してアイコン１０１が小さく、かつ、アイコン１０１の間隔が狭いと、例えば、図２に示すように、所望のアイコン１０１ａを指で指定した場合に、指の接触領域の一部が隣接のアイコン１０１ｂにかかり、制御部が、誤って隣接のアイコン１０１ｂを指定されたアイコンとして認識する場合がある。この場合は、使用者が所望する機能とは異なる機能が実行されてしまう。【０００７】
そこで、アイコンの誤指定の問題を解決することができるタッチパネルが特許文献１に開示されている。【０００８】
特許文献１に記載のタッチパネルでは、指の接触面積に応じてアイコンの大きさを変化させる。具体的には、指の接触面積がアイコンの表示面積より大きな場合は、アイコンの表示面積を大きくする。アイコンを拡大することで、使用者は、指で所望のアイコンを確実に指定することができる。【０００９】
なお、複数のアイコンが表示されている場合で、拡大後のアイコンが画面に収まらない場合は、複数ページに分けて拡大後のアイコンを表示させる。このとき、拡大後のアイコンは所定の順番で並び変えて表示する。
【先行技術文献】
【特許文献】
【００１０】
【特許文献１】特開２００７−３２８４２１号公報
【発明の概要】
【００１１】
特許文献１に記載のタッチパネルにおいては、アイコンが一定の間隔で所定の位置に表示されるようになっているので、携帯機器の保持の仕方によってはアイコンの指定が困難になる場合がある。例えば、図３に示すように、一方の手で携帯機器を保持して他方の手の指で画面１００のアイコン１０１ａを指定する場合に、携帯機器を保持している指がアイコン１０１ａの指定を妨げる場合がある。
【００１２】
また、拡大後のアイコンを並び変えて表示する場合があり、その場合は、拡大前と拡大後とでアイコンの表示位置が異なるため、使用者は、拡大後のアイコンがどのような配置で表示されているかを一々確認する必要がある。このような確認作業は、操作性を低下させる要因となる。
【００１３】
さらに、図４に示すように、太陽または外部光源からの光がアイコンの視認の妨げとなる場合がある。この場合は、所望のアイコンを指定することが困難となる。なお、携帯機器の光に対する向きを変えることで、アイコンの視認性が向上するが、そのような向き変えの操作は使用者にとって煩わしい。
【００１４】
本発明の目的は、使用者が確実にアイコンを指定することができる、操作性に優れた、入力装置、画像表示方法およびプログラムを提供することにある。
【００１５】
上記目的を達成するため、本発明の入力装置は、
画像を画面上に表示する表示部と、
前記画面に対する面内位置の指定を受け付けてその指定された面内位置を示す位置信号を出力する位置入力部と、
複数の面内位置が指定された場合に、前記位置信号に基づいて、各面内位置を特定し、複数の画像を前記各面内位置にて表示させるとともに、前記各面内位置の間隔に応じて各画像の表示の大きさを制御する制御部と、を有する。
【００１６】
本発明の画像表示方法は、
位置入力部が、表示部の画面に対する面内位置の指定を受け付けてその指定された面内位置を示す位置信号を出力し、
制御部が、複数の面内位置が指定された場合に、前記位置信号に基づいて、各面内位置を特定し、複数の画像を前記各面内位置にて表示させるとともに、前記各面内位置の間隔に応じて各画像の表示の大きさを制御することを含む。
【００１７】
本発明のプログラムは、
画面に対して指定された複数の面内位置それぞれを示す位置信号を位置入力部から受信する処理と、
前記位置信号に基づいて、前記複数の面内位置を特定し、複数の画像を各面内位置にて表示させるとともに、前記各面内位置の間隔に応じて各画像の表示の大きさを制御する処理と、をコンピュータに実行させる。
【図面の簡単な説明】
【００１８】
【図１】アイコンの表示の一例を示す模式図である。
【図２】アイコンの誤指定を説明するための模式図である。
【図３】携帯機器を保持している指がアイコンの指定を妨げる状態を示す模式図である。
【図４】外部からの光がアイコンの指定を妨げる状態を示す模式図である。
【図５】本発明の一実施形態である入力装置の構成を示すブロック図である。
【図６】隣接するアイコンの画像の水平方向および垂直方向の幅の条件を説明するための図である。
【図７】アイコンの画像の表示処理の一手順を示すフローチャートである。
【図８】アイコンの起動処理の一手順を示すフローチャートである。
【図９】アイコンの画像の表示の一例を示す模式図である。
【図１０】タッチパッドをスクリーンが設けられた側とは反対側に設けた場合のアイコンの画像の表示の一例を示す模式図である。
【図１１】制御用機能が割り当てられた画像の表示の一例を示す模式図である。
【符号の説明】
【００１９】
１  接触位置・間隔算出部
２  表示位置・サイズ算出部
３  表示制御部
４  アプリケーション実行部
１０  制御部
１１  スクリーン
１２  タッチパッド
１３  記憶部
【発明を実施するための形態】
【００２０】
次に、本発明の実施形態について図面を参照して説明する。
【００２１】
図５は、本発明の一実施形態である入力装置の構成を示すブロック図である。
【００２２】
図５に示す入力装置は、表示部であるスクリーン１１、位置入力部であるタッチパッド１２、記憶部１３、および制御部１０を有する。図５において、スクリーン１１とタッチパッド１２は便宜上、並べて配置されているが、実際は、スクリーン１１とタッチパッド１２は対向するように配置される。タッチパッド１２の面内位置（座標）とスクリーン１１の面内位置（座標）とは一対一で対応する。
【００２３】
スクリーン１１は、例えば液晶ディスプレイであって、複数の画像（アイコン等の画像を含む）を画面上に表示する。タッチパッド１２は、画面に対する面内位置の指定を受け付けてその指定された面内位置を示す位置信号を出力する。これらスクリーン１１とタッチパッド１２を組み合わせた構成が、いわゆるタッチパネルである。
【００２４】
タッチパッド１２には、抵抗膜方式、赤外線方式、電磁誘導方式など種々の方式があり、本実施形態では、いずれの方式のものでも採用することができる。ただし、タッチパッド１２は、画面上の複数の箇所への接触を同時に検出することができ、それぞれの接触箇所を示す位置信号を出力することができる、マルチタッチが可能なものである。ここで、接触は、指やペンなどの指示体の接触である。位置信号は、例えば画面上の接触箇所の座標を示す信号である。
【００２５】
記憶部１３は、半導体メモリ等の記憶装置であって、入力装置を動作させるのに必要なデータやプログラムを格納する。プログラムは、複数のアプリケーションを含む。データは、アイコンの画像データ等、種々のデータを含む。この他、記憶部１３は、アプリケーションとアイコンの画像データとが対応付けられて格納されたアプリケーション／アイコン対応テーブルも格納している。
【００２６】
制御部１０は、記憶部１３に格納されたプログラムに従って動作するものであって、例えば、タッチパッド１２からの位置信号に基づいてスクリーン１１のアイコン等の画像の表示を制御したり、指定されたアイコンに割り当てられた機能（アプリケーション）を実行したりする。
【００２７】
制御部１０は、接触位置・間隔算出部１、表示位置・サイズ算出部２、表示制御部３、およびアプリケーション実行部４を有する。
【００２８】
接触位置・間隔算出部１は、タッチパッド１２からの位置信号に基づいて、使用者が指示体で指定したタッチパッド１２上の面内位置（指示体の接触位置）を特定する。複数の面内位置が指定された場合は、接触位置・間隔算出部１は、タッチパッド１２からの位置信号に基づいてタッチパッド１２上の各面内位置を特定するとともに、各面内位置の間隔を算出する。
【００２９】
表示位置・サイズ算出部２は、接触位置・間隔算出部１が特定したタッチパッド１２上の各面内位置に対応するスクリーン１１上の表示位置を決定するとともに、接触位置・間隔算出部１が取得した各面内位置の間隔に基づいて、隣接するアイコンの画像が重ならないように、各アイコンの画像の大きさを算出する。
【００３０】
例えば、第１の接触領域の重心（面内位置）と第２の接触領域の重心（面内位置）との間隔をＤとすると、第１の接触領域にて表示するアイコンの画像の幅のうち、その重心から第２の接触領域側の幅が、Ｄ／２より小さくなるように設定される。同様に、第２の接触領域にて表示するアイコンの画像の幅のうち、その重心から第２の接触領域側の幅が、Ｄ／２より小さくなるように設定される。
【００３１】
また、隣接するアイコンの画像の水平方向および垂直方向の幅を、以下の条件を満たすように設定してもよい。
【００３２】
図６に示すように、タッチパッド１２上の２つの面内位置をそれぞれＰ１、Ｐ２とする。面内位置Ｐ１の重心と面内位置Ｐ２の重心とを結ぶ直線Ｄの長さをＬとし、直線Ｄと水平方向の直線とのなす角度をθとする。
【００３３】
上記の場合、面内位置Ｐ１の重心と面内位置Ｐ２の重心との水平方向における間隔Ｗ１は、Ｌ×ｃｏｓθで与えられる。また、面内位置Ｐ１の重心と面内位置Ｐ２の重心との垂直方向における間隔Ｗ２は、Ｌ×ｓｉｎθで与えられる。
【００３４】
面内位置Ｐ１にて表示するアイコンの画像の水平方向の幅のうち、面内位置Ｐ１の重心から面内位置Ｐ２側の幅が、Ｗ１／２より小さくなるように設定される。また、面内位置Ｐ２にて表示するアイコンの画像の水平方向の幅のうち、面内位置Ｐ２の重心から面内位置Ｐ１側の幅が、Ｗ１／２より小さくなるように設定される。このように設定することで、面内位置Ｐ１、Ｐ２にて表示されるアイコンの画像が水平方向において重なることを防止することができる。
【００３５】
面内位置Ｐ１にて表示するアイコンの画像の垂直方向の幅のうち、面内位置Ｐ１の重心から面内位置Ｐ２側の幅が、Ｗ２／２より小さくなるように設定される。また、面内位置Ｐ２にて表示するアイコンの画像の垂直方向の幅のうち、面内位置Ｐ２の重心から面内位置Ｐ１側の幅が、Ｗ２／２より小さくなるように設定される。このように設定することで、面内位置Ｐ１、Ｐ２にて表示されるアイコンの画像が垂直方向において重なることを防止することができる。
【００３６】
再び、図５を参照する。表示制御部３は、表示位置・サイズ算出部２が決定した位置に、表示位置・サイズ算出部２が決定した大きさで所定のアイコンの画像を表示させる。
【００３７】
アプリケーション実行部４は、タッチパッド１２からの位置信号に基づいて、スクリーン１１上に表示されたアイコンの画像のうちから、使用者が指示体を用いて所定の接触操作を通じて選択したアイコンの画像を特定し、該特定したアイコンの画像と対応するアプリケーションを、記憶部１３のアプリケーション／アイコン対応テーブルから取得する。そして、アプリケーション実行部４は、取得したアプリケーションを実行する。
【００３８】
次に、本実施形態の入力装置の動作について説明する。
【００３９】
図７に、アイコンの画像の表示処理の一手順を示す。以下、図５および図７を参照して表示処理を説明する。
【００４０】
まず、接触位置・間隔算出部１が、タッチパッド１２からの位置信号に基づいて、複数の位置が指定されたか否かを判定する（ステップＳ１０）。ここで、複数の位置の指定とは、例えば、複数の指が画面に同時に接触している状態だけではなく、所定時間内に少なくとも１つの指により複数の箇所への接触が行われた状態を意味する。例えば、人差し指および中指を同時に画面に接触させることで２点を指定してもよいし、人差し指を画面に接触させた後、所定時間内に中指を画面に接触させることで、２点を指定してもよい。
【００４１】
ステップＳ１０の判定結果が「Ｎｏ」である場合は、本表示処理は終了する。
【００４２】
ステップＳ１０の判定結果が「Ｙｅｓ」である場合は、続いて、接触位置・間隔算出部１が、タッチパッド１２からの位置信号に基づいて、それぞれの接触位置を検出するとともに（ステップＳ１１）、それら接触位置の間隔を算出する（ステップＳ１２）。
【００４３】
次に、表示位置・サイズ算出部２が、ステップＳ１１で検出した各接触位置に対応するスクリーン１１上の表示位置を決定するとともに、ステップＳ１２で算出した接触位置の間隔に基づいてアイコンの画像の大きさを決定する（ステップＳ１３）。
【００４４】
次に、表示制御部３が、記憶部１３に格納されているアイコンの画像データのうちから、所定の順序に従って、各表示位置にて表示すべき画像データをそれぞれ決定する（ステップＳ１４）。ここで、所定の順序は、例えば、実行頻度が高いアプリケーションを優先するように順位付けしたもの（優先順位）である。
【００４５】
最後に、表示制御部３が、その選択した画像データに基づく画像（アイコンの画像）を、ステップＳ１３で決定した表示位置および大きさに基づいてスクリーン１１で表示させる（ステップＳ１５）。
【００４６】
どの画像をどの表示位置にて表示させるかについては、例えば、接触の位置関係に基づいて決定してもよい。具体的には、複数の指で複数の箇所を指定した場合、左側のものほど、順位の高い画像（アイコンの画像）が表示されるように、画像（アイコンの画像）の表示位置への振り分けを行う。
【００４７】
なお、指等の指示体を用いて画面内の複数の位置を指定して複数の画像（アイコンの画像）を表示した後、接触位置・間隔算出部１が、タッチパッド１２からの位置信号に基づいて、指示体が画面から離れたことを検出しても、表示制御部３は、その検出タイミングから所定時間にわたって、画像（アイコンの画像）の表示を維持する。これにより、使用者が、例えば指等の指示体を用いて画面内の複数の位置を指定し、それぞれの指定位置に画像（アイコンの画像）を表示させた後、指示体を画面から離しても、画像（アイコンの画像）は一定時間にわたって表示される。この表示期間において、使用者は、アイコンの画像を確認して指定することができる。
【００４８】
次に、アイコンの起動処理を説明する。
【００４９】
図８に、アイコンの起動処理の一手順を示す。
【００５０】
図７に示した手順でアイコンの画像が表示されると（ステップＳ２０）、続いて、アプリケーション実行部４が、タッチパッド１２からの位置信号に基づいて、画面から指示体が離れたか否かを判定する（ステップＳ２１）。
【００５１】
ステップＳ２１の判定結果が「Ｙｅｓ」である場合は、続いて、アプリケーション実行部４が、画面から指示体が離れた時点からの経過時間を測定し（ステップＳ２２）、所定時間内に指示体が画面に接触したか否かを判定する（ステップＳ２３）。
【００５２】
ステップＳ２３の判定結果が「Ｎｏ」である場合は、本起動処理は終了する。
【００５３】
ステップＳ２３の判定結果が「Ｙｅｓ」である場合は、続いて、アプリケーション実行部４が、接触箇所が１つであるか否かを判定する（ステップＳ２４）。
【００５４】
ステップＳ２４の判定結果が「Ｎｏ」である場合は、本起動処理は終了する。この場合、複数の接触を検出したことになるので、図７に示したアイコンの画像の表示処理のステップＳ１１〜Ｓ１５の処理を実行してもよい。ただし、表示されるアイコンの画像として、前回、表示した画像の優先順位の次に高いものが決定される。
【００５５】
ステップＳ２４の判定結果が「Ｙｅｓ」である場合は、続いて、アプリケーション実行部４が、タッチパッド１２からの位置信号に基づいて、スクリーン１１上の指定位置を検出する（ステップＳ２５）。そして、アプリケーション実行部４が、その検出した位置がアイコンの画像の表示位置と一致するか否かを判定する（ステップＳ２６）。
【００５６】
ステップＳ２６の判定結果が「Ｎｏ」である場合は、本起動処理は終了する。
【００５７】
ステップＳ２６の判定結果が「Ｙｅｓ」である場合は、アプリケーション実行部４が、指定位置と一致したアイコンの画像に割り当てられたアプリケーションを、記憶部１３のアプリケーション／アイコン対応テーブルから取得して、その取得したアプリケーションを実行する（ステップＳ２７）。
【００５８】
以上説明した本実施形態の入力装置によれば、指等の指示体でスクリーン１１の画面内の複数の位置を指定した場合に、それら指定された位置にて、アイコンの画像が表示される。例えば、図９に示すように、中指と人差し指とでスクリーン１１の画面５内の２箇所を指定した場合は、それぞれ指定した位置にてアイコン画像６、７が表示される。したがって、入力装置の筐体を保持している指を避けるように中指と人差し指とでアイコンの画像の表示位置を指定すれば、アイコンの画像の指定において、入力装置の筐体を保持している指が妨げとなることはない。
【００５９】
また、指の接触位置がそのままアイコンの画像の表示位置となるので、使用者は、画面を見なくても、指の接触位置からアイコンの画像の表示位置を認識することができる。よって、アイコンの画像がどのような配置で表示されているかを一々確認する必要がないので、操作性が向上する。
【００６０】
加えて、使用者が、アイコンの画像の順位（優先順位）や、画像の表示位置への振り分けの基準を把握していれば、どの表示位置にどのアイコンの画像が表示されるかをある程度予測することができる。
【００６１】
加えて、図４に示したような外部からの光が画像の視認の妨げになる状態でも、使用者は、指の接触位置に基づいて、表示された画像の位置を確実に認識することができる。
【００６２】
さらに、画面に接触させた中指および人差し指の間隔がアイコン画像６、７の間隔とされるので、使用者は、中指および人差し指を誤指定が生じないような間隔で画面に接触させればよい。これにより、アイコン画像の誤指定を抑制することができる。
【００６３】
上述した本実施形態の入力装置は、本発明の一例であり、その構成および動作は、適宜に変更することができる。
【００６４】
例えば、図９に示した例において、中指と人差し指を接触させた状態において、中指の接触位置と人差し指の接触位置との間隔を調整すると、制御部１０が、その調整幅に応じて、アイコン画像６、７の表示範囲を変更してもよい。これにより、例えば、中指の接触位置と人差し指の接触位置との間隔を小さくすれば、アイコン画像６、７の表示範囲が小さくなり、中指の接触位置と人差し指の接触位置との間隔を大きくすれば、アイコン画像６、７の表示範囲が大きくなる。
【００６５】
また、スクリーン１１とタッチパッド１２は、同じ面側または異なる面側に設けられても良い。例えば、スクリーン１１を筐体の所定の面（表側の面）に設け、タッチパッド１２を、筐体のスクリーン１１が設けられた面とは反対側の面（裏側の面）に、スクリーン１１と対向するように設けてもよい。
【００６６】
上記の場合は、使用者は、裏面側のタッチパッド１２上で複数の位置を指定する。例えば、図１０に示すように、裏面側のタッチパッド１２上で２つの位置を指定すると、スクリーン１１上のそれら指定位置に対応する位置にアイコン画像６、７が表示される。
【００６７】
スクリーン１１とタッチパッド１２が異なる面に設けられた構成において、タッチパッド１２の大きさがスクリーン１１と異なっていてもよい。この場合は、タッチパッド１２の面内位置（座標）とスクリーン１１の面内位置（座標）との対応関係を示す座標変換テーブルが記憶部１３に格納される。制御部１０では、この座標変換テーブルを参照して、タッチパッド１２の面内位置（座標）がスクリーン１１の面内位置（座標）に変換される。
【００６８】
また、指示体でスクリーン１１の画面内の複数の箇所を指定した場合において、所定の箇所の接触位置に表示される画像に、他の箇所の接触位置に表示される画像の表示を制御するための制御用機能が割り当てられてもよい。
【００６９】
以下に、指示体を用いて画面内の第１から第３の箇所を指定した場合について、具体的な動作を説明する。
【００７０】
図５に示した制御部１０では、接触位置・間隔算出部１が、画面への第１から第３の箇所への指示体の接触を検出するとともに、その接触順序も検出する。表示位置・サイズ算出部２が、第１から第３の箇所から表示位置を決定し、各箇所の間隔に基づいて画像のサイズを決定する。そして、表示制御部３が、接触順序が所定番目の箇所の表示位置に、他の箇所の表示位置における表示を制御する機能が割り当てられた画像を表示させ、他の箇所の表示位置にアイコンの画像を表示させる。
【００７１】
また、図１１に示すように、人差し指および中指でスクリーン１１の画面５内の２箇所を指定した後、薬指で画面５内の別の箇所を指定した場合に、接触順序が最も遅い箇所に、制御用機能が割り当てられた画像が表示される。具体的には、図５に示した制御部１０において、表示制御部３が、中指、人差し指のそれぞれの接触位置にアイコン画像６、７を表示させるとともに、薬指の接触位置に制御用画像８を表示させる。ここで、制御用画像８には、アイコン画像６、７の表示を変化させるための機能が割り当てられている。
【００７２】
人差し指、中指、薬指を画面５に接触させた状態で薬指をスライドさせると、接触位置・間隔算出部１が、タッチパッド１２からの位置信号に基づいて、その薬指の画面５上でのスライド方向とスライド量を検出する。ここでは、制御用画像８が上方向へスライドした場合を第１のスライド方向とし、制御用画像８が下方向へスライドした場合を第２のスライド方向とする。
【００７３】
次に、表示位置・表示サイズ算出部２が、検出したスライド方向とスライド量に応じてアイコン画像６、７の表示内容を決定する。具体的には、制御用画像８が第１のスライド方向に所定量だけスライドした場合は、アイコン画像６、７として、それまで表示された画像データの次に優先順位が高い画像データを選択する。そして、表示制御部３が、その選択した画像データに基づく画像をアイコン画像６、７として表示させる。
【００７４】
上記の例では、制御用機能が割り当てられた画像が表示される表示位置を接触順序に基づいて決定しているが、これに限定されない。例えば、接触の位置関係によって、制御用機能が割り当てられた画像が表示される表示位置を決定してもよい。具体的には、複数の指で複数の箇所を指定した場合、画面上の最も右側に位置する接触位置を、制御用機能が割り当てられた画像が表示される表示位置としてもよい。
【００７５】
また、本実施形態の入力装置において、指示体の接触位置に対応する表示位置に画像を表示しているが、これに限定されない。指示体の接触位置と相対的な関係がある位置に画像を表示してもよい。
【００７６】
また、本実施形態の端末装置において、制御部１０は、プログラムに従って動作するコンピュータ（ＣＰＵ：Central  Processing  unit）であってもよい。プログラムは、スクリーン１１やタッチパッド１２を制御するための処理や、少なくともアイコンの画像の表示処理や制御用機能が割り当てられた画像の表示処理などを、コンピュータに実行させることが可能なものである。プログラムは、ＣＤ（Compact  Disc）やＤＶＤ（Digital  Versatile  Disc）などの光ディスク、ＵＳＢ（Universal  Serial  Bus）メモリなどの記録媒体を用いて提供されてもよく、通信網（例えばインターネット）を介して提供されてもよい。
【００７７】
本発明の入力装置は、タブレット端末や携帯電話端末のような端末装置に適用することができる他、単独で動作する電子機器（例えば、ゲーム機）にも適用することができる。
【００７８】
以上、実施形態を参照して本発明を説明したが、本発明は上述した実施形態に限定されるものではない。本発明の構成および動作については、本発明の趣旨を逸脱しない範囲において、当業者が理解し得る様々な変更を行うことができる。
【００７９】
この出願は、２０１１年７月１４日に出願された日本出願特願２０１１−１５５７１９を基礎とする優先権を主張し、その開示の全てをここに取り込む。
【図１】
0005991320.tif 000002
【図２】
0005991320.tif 000003
【図３】
0005991320.tif 000004
【図４】
0005991320.tif 000005
【図５】
0005991320.tif 000006
【図６】
0005991320.tif 000007
【図７】
0005991320.tif 000008
【図８】
0005991320.tif 000009
【図９】
0005991320.tif 000010
【図１０】
0005991320.tif 000011
【図１１】
0005991320.tif 000012